(57)【要約】【課題】  生体標本上の任意の位置に、数百ミクロンレベルの領域に限局して試薬を分注するとともに、分注される試薬の量をナノリットルレベルで制御する方法、及びその方法を用いた生体標本の解析方法を提供する。【解決手段】細胞又は組織を含む生体標本上の特定の領域に対して、試薬溶液をインクジェット法により供給し付着させる、生体標本への試薬の分注方法。細胞又は組織を含む生体標本上の特定の領域に対して、試薬溶液をインクジェット法により供給し付着させて生体標本への試薬の分注を行った後、前記細胞又は組織中の標的物質を、顕微鏡観察又は質量分析によって解析する、生体標本の解析方法。【選択図】  図３
2004347594.tif 000002
【特許請求の範囲】
【請求項１】
細胞又は組織を含む生体標本上の特定の領域に対して、試薬溶液をインクジェット法により供給し付着させる、生体標本への試薬の分注方法。
【請求項２】
前記細胞又は組織が、生体内における微細構造を保持している、請求項１に記載の生体標本への試薬の分注方法。
【請求項３】
前記生体標本は、前記細胞又は組織が包埋剤によって包埋されている、請求項１又は２に記載の生体標本への試薬の分注方法。
【請求項４】
前記包埋剤が、水、パラフィン、セロイジン、カーボワックス、ゼラチン、アルブミン、アガロース、エポキシ樹脂、ポリエステル樹脂、及びグリコールメタクリレートからなる群から選ばれる、請求項１〜３のいずれか１項に記載の生体標本への試薬の分注方法。
【請求項５】
前記試薬が、前記細胞又は組織中の標的物質と化学反応する化合物及び／又は前記細胞又は組織中の標的物質と特異的に結合する物質である、請求項１〜４のいずれか１項に記載の生体標本への試薬の分注方法。
【請求項６】
前記試薬溶液を供給し付着させた後、前記標的物質と前記試薬とを化学的又は生物学的に反応させる、請求項５に記載の生体標本への試薬の分注方法。
【請求項７】
前記細胞又は組織中の標的物質と特異的に結合する物質が、タンパク質、ペプチド、核酸、糖、及び脂質からなる群から選ばれる少なくとも１つの生体物質、及び／又は前記生体物質と同様又は類似の結合能を有する類似化合物を含む、請求項５又は６のいずれか１項に記載の生体標本への試薬の分注方法。
【請求項８】
前記細胞又は組織中の標的物質と特異的に結合する物質が、抗体、抗原及び酵素からなる群から選ばれる少なくとも１つの生体物質、及び／又は前記生体物質と同様又は類似の結合能を有する類似化合物を含む、請求項５又は６に記載の生体標本への試薬の分注方法。
【請求項９】
前記細胞又は組織中の標的物質と特異的に結合する物質が、前記生体物質の標識物質による標識体及び標識物質との複合体、及び、前記類似化合物の標識物質による標識体及び標識物質との複合体からなる群から選ばれる少なくとも１つである、請求項５〜８のいずれか１項に記載の生体標本への試薬の分注方法。
【請求項１０】
前記標識物質が、蛍光物質、酵素、重金属含有物質、及び放射線同位元素含有化合物からなる群から選ばれる少なくとも１つである、請求項９に記載の生体標本への試薬の分注方法。
【請求項１１】
前記蛍光物質が、フルオレセインイソチオシアネート及び／又はテトラメチルローダミンイソチオシアネートである、請求項１０に記載の生体標本への試薬の分注方法。
【請求項１２】
前記酵素が、ホースラディッシュペルオキシダーゼ、アルカリフォスファターゼ、酸フォスファターゼ、グルコースオキシダーゼ、及びチロシナーゼからなる群から選ばれる少なくとも１つである、請求項１０に記載の生体標本への試薬の分注方法。
【請求項１３】
前記重金属含有物質が、フェリチン及び／又は金コロイドである、請求項１０に記載の生体標本への試薬の分注方法。
【請求項１４】
前記生体標本が、ガラス製支持体、樹脂製支持体及び金属製支持体からなる群から選ばれる支持体の表面に固着されているか、メンブレンに転写されているか、又は前記メンブレンに転写され且つ転写されたメンブレンが前記支持体の表面に固着されている、請求項１〜１３のいずれか１項に記載の生体標本への試薬の分注方法。
【請求項１５】
前記金属製支持体が質量分析用サンプルプレートである、請求項１４に記載の生体標本への試薬の分注方法。
【請求項１６】
前記メンブレンがポリビニリデンジフルオリド、ニトロセルロース、ポリアミド、及びポリエチレンからなる群から選ばれる有機合成高分子又はその誘導体である、請求項１４又は１５に記載の生体標本への試薬の分注方法。
【請求項１７】
細胞又は組織を含む生体標本上の特定の領域に対して、試薬溶液をインクジェット法により供給し付着させて生体標本への試薬の分注を行った後、前記細胞又は組織中の標的物質を、顕微鏡観察又は質量分析によって解析する、生体標本の解析方法。
【請求項１８】
前記顕微鏡観察による解析において、前記標的物質の発色、発光、蛍光又は前記標的物質における放射性同位元素の存在を検出する、請求項１７に記載の生体標本の解析方法。
【請求項１９】
前記質量分析法が、レーザー脱離イオン化質量分析法である、請求項１７に記載の生体標本の解析方法。
【発明の詳細な説明】
【技術分野】
【０００１】
本発明は、細胞生物学、病理学、生化学等の医学・生物学分野に属し、特に生物試料標本に試薬を添加し反応させる方法及び反応産物を検出する方法に関する。
【背景技術】
【０００２】
細胞、組織等の生体標本を解析する手段としては、顕微鏡観察が多く用いられる。この場合、標的の物質（タンパク質分子等）を同定する目的においては、特異抗体を介して標的の物質を標識し、その標識の発色、発光、蛍光等を検出するという方法が用いられてきた。また近年では、例えば特開２００１−２４９１２５号公報に記載されているように、試料切片に直接レーザー照射してマススペクトルを得る方法も提示されている。また、標的の物質の局在分布を知る目的においては、上記標識を用いた染色法、例えば米国特許第５８０８３００号明細書に記載されているようなＭＡＬＤＩ質量分析に基づくイメージング及び遺伝子組換えによって標的タンパク質に蛍光タンパク質を共発現させる方法等が用いられてきた。
【０００３】
また、特開平１１−１８７９００号公報には、固相に対し、プローブを含む液体をインクジェット法によって供給し付着させ、プローブアレイを製造することが記載されている。
【０００４】
【特許文献１】特開２００１−２４９１２５号公報
【特許文献２】米国特許第５８０８３００号明細書
【特許文献３】特開平１１−１８７９００号公報
【発明の開示】
【発明が解決しようとする課題】
【０００５】
上記の生体標本を解析する手段はいずれも、サンプル全体に対してか、又は撥水性ゴム等を用いてサンプルの必要な部分を区画すること等によって限定した領域に対して処理を行っているため、処理に用いる試薬等の量を極限まで減らすことができない。また、特定の微小区域のみを解析したい場合でも隣接する区域のシグナルがバックグラウンドとして影響する。従って、１つのサンプル内の異なる領域において、異なる試薬を用いたり異なる手法の解析をしたりすることは困難であった。
【０００６】
そこで本発明の目的は、生体標本上の任意の位置に、数百ミクロンレベルの領域に限局して試薬を分注するとともに、分注される試薬の量をナノリットルレベルで制御する方法、及びその方法を用いた生体標本の解析方法を提供することにある。
【課題を解決するための手段】
【０００７】
本発明者は、鋭意検討した結果、インクジェット技術を用いることによって上記目的が達成されることを見出し、本発明を完成するに至った。
【０００８】
本発明は以下の発明を含む。
（１）  細胞又は組織を含む生体標本上の特定の領域に対して、試薬溶液をインクジェット法により供給し付着させる、生体標本への試薬の分注方法。
（２）  前記細胞又は組織が、生体内における微細構造を保持している、（１）に記載の生体標本への試薬の分注方法。
【０００９】
（３）  前記生体標本は、前記細胞又は組織が包埋剤によって包埋されている、（１）又は（２）に記載の生体標本への試薬の分注方法。
（４）  前記包埋剤が、水、パラフィン、セロイジン、カーボワックス、ゼラチン、アルブミン、アガロース、エポキシ樹脂、ポリエステル樹脂、及びグリコールメタクリレートからなる群から選ばれる、（１）〜（３）のいずれかに記載の生体標本への試薬の分注方法。
【００１０】
（５）  前記試薬が、前記細胞又は組織中の標的物質と化学反応する化合物及び／又は前記細胞又は組織中の標的物質と特異的に結合する物質である、（１）〜（４）のいずれかに記載の生体標本への試薬の分注方法。
（６）  前記試薬溶液を供給し付着させた後、前記標的物質と前記試薬とを化学的又は生物学的に反応させる、（５）に記載の生体標本への試薬の分注方法。
【００１１】
（７）  前記細胞又は組織中の標的物質と特異的に結合する物質が、タンパク質、ペプチド、核酸、糖、及び脂質からなる群から選ばれる少なくとも１つの生体物質、及び／又は前記生体物質と同様又は類似の結合能を有する類似化合物を含む、（５）又は（６）に記載の生体標本への試薬の分注方法。
本発明においては、核酸には、ＤＮＡ、ＲＮＡの両方が含まれる。
【００１２】
（８）  前記細胞又は組織中の標的物質と特異的に結合する物質が、抗体、抗原及び酵素からなる群から選ばれる少なくとも１つの生体物質、及び／又は前記生体物質と同様又は類似の結合能を有する類似化合物を含む、（５）又は（６）に記載の生体標本への試薬の分注方法。
（９）  前記細胞又は組織中の標的物質と特異的に結合する物質が、前記生体物質の標識物質による標識体及び標識物質との複合体、及び、前記類似化合物の標識物質による標識体及び標識物質との複合体からなる群から選ばれる少なくとも１つである、（５）〜（８）のいずれかに記載の生体標本への試薬の分注方法。
【００１３】
（１０）  前記標識物質が、蛍光物質、酵素、重金属含有物質、及び放射線同位元素含有化合物からなる群から選ばれる少なくとも１つである、（９）に記載の生体標本への試薬の分注方法。
（１１）  前記蛍光物質が、フルオレセインイソチオシアネート及び／又はテトラメチルローダミンイソチオシアネートである、（１０）に記載の生体標本への試薬の分注方法。
（１２）  前記酵素が、ホースラディッシュペルオキシダーゼ、アルカリフォスファターゼ、酸フォスファターゼ、グルコースオキシダーゼ、及びチロシナーゼからなる群から選ばれる少なくとも１つである、（１０）に記載の生体標本への試薬の分注方法。
（１３）  前記重金属含有物質が、フェリチン及び／又は金コロイドである、（１０）に記載の生体標本への試薬の分注方法。
【００１４】
（１４）  前記生体標本が、ガラス製支持体、樹脂製支持体及び金属製支持体からなる群から選ばれる支持体の表面に固着されているか、メンブレンに転写されているか、又は前記メンブレンに転写され且つ転写されたメンブレンが前記支持体の表面に固着されている、（１）〜（１３）のいずれかに記載の生体標本への試薬の分注方法。
（１５）  前記金属製支持体が質量分析用サンプルプレートである、（１４）に記載の生体標本への試薬の分注方法。
（１６）  前記メンブレンがポリビニリデンジフルオリド、ニトロセルロース、ポリアミド、及びポリエチレンからなる群から選ばれる有機合成高分子又はその誘導体である、（１４）又は（１５）に記載の生体標本への試薬の分注方法。
【００１５】
（１７）  細胞又は組織を含む生体標本上の特定の領域に対して、試薬溶液をインクジェット法により供給し付着させて生体標本への試薬の分注を行った後、前記細胞又は組織中の標的物質を、顕微鏡観察又は質量分析によって解析する、生体標本の解析方法。
ここで、試薬の分注の方法としては、上記（１）〜（１６）のいずれかに記載の方法を用いることができる。
（１８）  前記顕微鏡観察による解析において、前記標的物質の発色、発光、蛍光又は前記標的物質における放射性同位元素の存在を検出する、（１７）に記載の生体標本の解析方法。
（１９）  前記質量分析法が、レーザー脱離イオン化質量分析法である、（１７）に記載の生体標本の解析方法。
【発明の効果】
【００１６】
本発明によれば、生体標本上の任意の位置に、数百ミクロンレベルの領域に限局して試薬を分注するとともに、分注される試薬の量をナノリットルレベルで制御する方法、及びその方法を用いた生体標本の解析方法が提供される。
【発明を実施するための最良の形態】
【００１７】
本発明においては、生体標本の特定の領域に対し、インクジェット法を用いて試薬溶液を供給する。生体標本の特定の領域に試薬溶液を供給することによって、生体標本に含まれる細胞又は組織中の、特定の構造及びその構成分子に試薬が分配される。このように、液滴を供給することによる試薬の分配を、分注と記載する。
【００１８】
また、本発明においては、インクジェット法を用いた分注方法を用い、標的物質を認識可能な形態にしたうえで解析する。これには顕微鏡観察や質量分析による方法等が用いられる。
【００１９】
本発明における生体標本は、固相化処理を受けていない生物の細胞又は組織を含んでいる。細胞又は組織は、生体内における微細構造をそのまま保持した状態のものを用いることができる。このような状態を得るために、細胞又は組織が適当な包埋剤によって包埋されたものを用いることができる。包埋剤としては、観察の方法及び生体試料の適性に応じて特に限定することなく用いることができる。例えば、水、パラフィン、セロイジン、カーボワックス、ゼラチン、アルブミン、アガロース、エポキシ樹脂、ポリエステル樹脂等や、グリコールメタクリレート等の水溶性樹脂等を用いることができ、これら包埋剤は、当業者が適宜選択することができる。このような生体標本としては、例えば凍結切片等の未固定試料、パラフィン包埋切片等の固定化試料等を用いることができる。
【００２０】
このように、生体内における微細構造を保持した生体標本を用いることができるため、本発明の方法によって解析することができる標的物質の局在は、生体内におけるのと同じものとして形態学的に検証することができる。
【００２１】
前記生体標本は、ガラス製支持体、樹脂製支持体、金属製支持体等の支持体の表面に固着させて使用するか、又は電気的にメンブレンに転写させて使用することができる。メンブレンとしては、ポリビニリデンジフルオリド（ＰＶＤＦ）、ニトロセルロース、ポリアミド、ポリエチレン等の有機合成高分子及びその誘導体を挙げることができる。ポリアミドとしては、ナイロン等が挙げられる。本発明において質量分析法を用いて解析する場合は、前記支持体には好ましくは金属製支持体、例えば質量分析用サンプルプレートを用い、これに生体標本を固着するか、又は生体標本をメンブレンに転写したものを前記サンプルプレートに貼り付ける等行うことによって固着して使用することができる。固着には導電性両面粘着テープ等を用いた固定を行うと良い。
これら標本は、必要に応じ、常法による染色、洗浄、脱塩等の前処理を行う。
【００２２】
上述のようにして用意した生体標本上の特定の領域に対し、試薬溶液を分注する。本発明においては、分注方法としてインクジェット法を用い、試薬溶液の微小滴を前記特定の領域に供給し付着させる。本発明において用いるインクジェット法の機構としては、例えばピエゾ素子を利用したＵＳ４８７７７４５号公報に記載の機構（ピエゾジェット法）等を用いることができるが、これに限定されない。また、分注のための装置としては、例えばＷＯ９８／４７００６号公報に記載の装置を用いることができるが、これに限定されない。
【００２３】
図１は、本発明における試薬の分注の概念図である。これは本発明の実施の一態様を模式的に表している。生体標本又は生体標本を転写したメンブレン１は、ガラス、樹脂、金属等のサンプル支持体２に固着させている。生体標本又は生体標本を転写したメンブレン１の一部分に、試薬溶液を分注する特定の領域３を定める。前記特定の領域３上に、インクジェット吐出部４を配置し、領域３に対して試薬液滴５を吐出する。
【００２４】
本発明の分注方法においては、インクジェット法を用いることにより、極微量の試薬を吐出することが可能となる。このとき、１個のインクジェット吐出部からの１回の吐出につき分注される試薬量を例えば１００ｐｌ程度に制御することができるが、インクジェットの機構によっては、さらに少ない量に制御することもできる。また、吐出を繰り返すことができるため、試薬量を分注する量の上限は特に限定されない。特定の１つの領域に対しては、例えばナノリットルレベル、通常１００ｎｌ程度の試薬量を分注することができる。従って、抗体溶液等、希少かつ高価な試薬であっても必要最低限の使用量しか消費しないため、大幅なコストダウンを図ることができる。
【００２５】
本発明においては、例えば１００ｐｌ程度の吐出によって７８００μｍ２程度の極小の分注範囲を生じる。この分注範囲は、インクジェットの機構によってさらに小さい範囲に限局することもできる。さらに、インクジェット吐出部４の生体試料１平面上の相対位置を変えて分注位置をずらしていくと、任意の領域に試薬溶液を分注することができるため、分注範囲の上限は特に限定されない。特定の１つの領域に対する試薬溶液の分注範囲は、例えば数ｍｍ２程度であり、好ましくは１０ｍｍ２程度までである。
【００２６】
また、同一生体標本上に特定の領域を２つ以上設定することも可能である。従って、同一生体標本上でも異なる領域で別種の試薬溶液を添加することが可能になり、複数種の解析を行うことが可能になる。
【００２７】
本発明においては、上述のように極少量の試薬溶液を生体標本上の極小の領域に供給することができるため、従来のようにサンプル上に物理的な区画を構築する等の必要がない。このため、作業時間を低減することができるとともに区画の構築等によるサンプルの損傷を避けることができる。
【００２８】
本発明においては、生体標本中の特定の組織、さらには組織中の特定の分子等を標的物質とすることができる。例えば、抗原（ハプテンを含む）、抗体及び酵素等標的物質とすることができる。そして、これらの物質を含め、一般的にタンパク質、ペプチド、核酸、糖、脂質等を標的物質とすることができる。本発明における試薬としては、生体標本中の標的物質を認識可能な形態にすることによって、その局在を検出することができるものを用いると良い。なお、認識可能とは、可視化や質量分析等によって検出することができるこという。
【００２９】
本発明においては、前記試薬として、標的物質と化学反応する化合物や、標的物質と特異的に結合する物質を用いて、直接的又は間接的に認識化することができる。標的物質と化学反応する化合物としては、標的物質の化学的性質に応じて発色、発光、蛍光等の常法によって検出することができるものを特に限定されることなく用いることができる。
【００３０】
標的物質と特異的に結合する物質としては、生体物質でも合成物でも良い。前記生体物質としては、タンパク質、ペプチド、核酸、糖、脂質等を挙げることができ、これら生体物質が有する特異的な結合能を利用することができる。すなわち、抗原とそれに対応する抗体、酵素とそれに対応する基質、核酸とそれに対応する核酸等の特異的結合を利用することができる。従って、前記標的物質と特異的に結合する物質は、例えば、抗体、抗原、酵素等として用いることができる。前記合成物としては、これら生体物質が有する機能と同様又は類似の結合能を有する、有機化合物や金属錯体等の類似化合物を用いることができる。類似化合物は、前記生体物質と構造において類似したものだけでなく、前記生体物質の特異的結合能としての機能において同様又は類似したものも含まれる。そのような類似化合物としては、前記生体物質の修飾体や、酵素モデル等が挙げられる。また、認識化の方法によっては、これら標的物質と特異的に結合する物質は、標識が導入されたものであっても良い。すなわち、標識物質によって標識された標識体や、標識物質との複合体であっても良い。
【００３１】
本発明において、生体標本中の標的物質である生体物質が抗原（ハプテンを含む）である場合、認識化のために免疫組織化学的手法を用いることができる。抗原としては、タンパク質、ペプチド、核酸、糖、脂質等が挙げられる。免疫組織化学的手法としては、常法を用いることができる。すなわち、蛍光抗体法、酵素抗体法、重金属抗体法、放射線同位元素抗体法等を特に限定されることなく用いることができる。また、これら方法においては、標識抗体法及び非標識抗体法、さらには直接抗体法及び間接抗体法を問わない。従ってこの場合、本発明における試薬としては、タンパク質、ペプチド、又はこれらに標識物質が導入されたもの等、すなわち一次抗体、二次抗体等が挙げられる。さらにこれら抗体に対して染色等の可視化を行う場合は染色剤等も挙げられる。
【００３２】
標識物質としては、蛍光物質、酵素、重金属含有物質、放射線同位元素含有化合物、その他の化合物等を挙げることができる。蛍光物質としては、フルオレセインイソチオシアネート（ＦＩＴＣ）、テトラメチルローダミンイソチオシアネート（ＴＲＩＴＣ）等が挙げられる。酵素としては、ホースラディッシュペルオキシダーゼ、アルカリフォスファターゼ、酸フォスファターゼ、グルコースオキシダーゼ、チロシナーゼ等が挙げられる。重金属含有物質としては、フェリチン、金コロイド等が挙げられる。その他の化合物としては、酵素モデル等が挙げられる。また、標識物質としてビオチンを用いることもできる。さらにこれに伴い、標識されたビオチンとアビジンとの複合体や標識されたストレプトアビジンを試薬として用いることができる。
上記例示した試薬は、単独で用いてもよいし、２種以上を混合して用いてもよい。
【００３３】
なお、生体標本の標的物質の認識化は、前記抗体又は抗体に導入された標識物質に対応した方法で行う。具体的には、発色、発光、蛍光、放射性同位元素の存在等を検出することによって行う。認識化された生体標本の標的物質は、顕微鏡観察又は質量分析によって解析する。
【００３４】
図２は、標的物質の検出の一例を表す概念図であり、図１における試薬溶液を分注する特定の領域３を拡大して模式的に表したものである。試薬溶液を分注した特定の領域３には、可視化された標的物質のシグナル６が認識される。このシグナル６の局在を顕微鏡などを用いて観察する。
【００３５】
顕微鏡観察を行う場合は、例えば酵素に対しては、それに応じた適当な基質溶液を分注した上で発色法や発光法によって可視化し、光学顕微鏡で観察することができる。蛍光物質に対しては、適当な励起光を照射して蛍光を得る方法によって可視化し、蛍光顕微鏡やレーザー顕微鏡によって観察することができる。重金属含有物質に対しては、照射光の散乱によって可視化し、電子顕微鏡によって観察することができる。放射性同位元素に対しては、オートラジオグラフィー法によって可視化して観察することができる。
【００３６】
本発明において、生体標本中の標的物質である生体物質が酵素である場合、認識化のために酵素組織化学的手法を用いることができる。この場合、前記試薬としては、標的物質である酵素に応じた適当な基質を用い、常法によって標的物質の酵素を認識化することができる。
【００３７】
本発明において、生体標本中の標的物質である生体物質が核酸（ＤＮＡ及びＲＮＡを含む）である場合、in situハイブリッド形成法を用いることができる。この場合、試薬としては、標的となる遺伝子を含む核酸とハイブリッド形成することができるＤＮＡプローブの標識体を用い、常法によって標的物質の核酸を認識化することができる。標識体の標識物質としては、免疫組織化学的手法において例示したものを含め、当業者が適宜定めると良い。
【００３８】
質量分析を行う場合は、例えばレーザー脱離イオン化質量分析法を用いることができる。この場合、認識化された標的物質に対して例えば以下の操作を行う。まず、必要に応じて消化等の処理を行う。消化においては、例えば、トリプシンなどのタンパク質消化酵素溶液を添加し、湿潤条件下にてインキュベートする。このように必要に応じ処理された標的物質に対してレーザーを照射し、マススペクトルを得る。あるいは、前記必要に応じ処理された標的物質に対し、必要に応じてマトリクス溶液を重ねて分注し、その分注位置に対してレーザーを照射し、マススペクトルを得る。本発明においては、微小な範囲に限定して分注を行うため、このときに得られるマススペクトルにおいては、特定の領域以外からの不必要なシグナル、すなわちバックグラウンドを低減することができる。また、マトリクス溶液の分注及びレーザー照射を、試料上の一点の位置のみでなく、一定の範囲にわたって繰り返し行うことによって、特定の細胞又は組織の、質量分布に基づいたイメージングが可能になり、生体標本上で標的物質のマッピングができる。
【００３９】
上述のように本発明によると、生体標本上の微小な区画のみに限定して試薬を分注するため、従来法に比べ使用する試薬の消費量を大幅に減らすことができる。また解析対象となる生体標本は病理組織標本等希少なものが多く想定されるが、同一検体上で複数種の解析が可能になるので、生体標本をより有効に活用できる。さらに、質量分析に導入するときは、試薬を分注した領域以外からのシグナルすなわちバックグラウンドの低減が期待できる。
【実施例】
【００４０】
以下に、組織切片サンプルにおける微細な領域をレーザー脱離イオン化質量分析法により解析した例を示す。
【００４１】
サンプルの調製にあたりマウス脳凍結切片を作製し、これをPVDF膜上に固定した。さらにこの膜をDirect Blue 71により染色し、導電性両面テープを介してMALDIターゲットプレートに固定した。これに対し、ケミカルプリンタ（CHIP-1000, 島津製作所）を使用して、サンプル上に位置を指定し、微小領域にポリビニルピロリドン溶液を7 nL、続けて200 μg/mLトリプシン溶液を50 nL分注した。
【００４２】
これを湿潤条件下30℃にて終夜インキュベートした後、同一箇所に100 nLのマトリクス溶液（10 mg/mL CHCA（α−シアノ−４−ヒドロキシケイ皮酸））を分注した。この結果、各分注位置では約400 μmの液の広がりを生じた。
【００４３】
このとき分注したサンプル上の位置を図３に示す。図３左の写真は、試薬溶液が分注されたサンプルである。このサンプルにおいて丸で囲った部分を、図３右に拡大して図示した。図３右図が示すように、丸で囲った部分には９個の微小領域a〜iが設けられた。これら領域は500 μm間隔で配置されている。分注された９個の領域の各々についてMALDI-TOF質量分析装置AXIMA-CFR（島津製作所）を用いて直接質量分析した。
【００４４】
このとき得られた質量分析スペクトルを図４の（a）〜（i）に示す。これら符号（a）〜（i）は、図３に示した９個の領域a〜iに対応している。図４においては、横軸に質量／電荷（Mass/Charge）、縦軸にイオンピークの相対強度を示す。図４が示すように、近接した微小な領域のそれぞれにおいて異なるスペクトルが得られた。この結果が示すように、本発明の方法は、生体標本の微細な領域の解析において効果的に利用することができる。
【図面の簡単な説明】
【００４５】
【図１】本発明における試薬の分注の一例の概念図である。
【図２】本発明における標的物質の検出の一例の概念図である。
【図３】本発明によって試薬が分注されたマウス脳凍結切片の写真と分注された位置とを示す。
【図４】本発明による、サンプル上の近接する９個の領域の各々における質量分析結果である。
【符号の説明】
【００４６】
１：生体標本又は生体標本を転写したメンブレン
２：サンプル支持体
３：試薬溶液を分注する特定の領域
４：インクジェット吐出部
５：試薬液滴
６：可視化された標的物質のシグナル
【図１】
2004347594.tif 000003
【図２】
2004347594.tif 000004
【図３】
2004347594.tif 000005
【図４】
2004347594.tif 000006